(57)【要約】【課題】シートの位置を検出し、乗員拘束装置に対するシートの相対位置から乗員拘束装置の作動を制御するポジションセンサーとして、部品点数を削減しながらも、外的要因によるポジションセンサーの不具合を解消し、位置精度の向上やクリアランスの減少からセンサー性能の向上並びに小型化，軽量化を図る。【解決手段】磁場を発する磁石片２ｂと、磁場反応乃至は不反応信号を発する磁気検出センサー２ａをポジションセンサー２として備え、磁気検出センサー２ａをアッパーレール１ａ，ロアレール１ｂのいずれか一方の長手方向における所定位置の内部に取り付け、磁石片２ｂをアッパーレール１ａ，ロアレール１ｂのいずれか他方の所定位置より長手方向に亘る前側領域または後側領域の内部に取り付け、ポジションセンサー２をアッパーレール１ａとロアレール１ｂで囲まれるスライドレール１の内部空間に備え付ける。【選択図】  図１
2004189165.tif 000002
【特許請求の範囲】
【請求項１】
シートクッションの下部側に取り付けられるアッパーレールと、車体のフロアー側に取り付けられるロアレールとをスライドレールとして備え、シートを車内の前後方向にスライドレールで位置移動可能に設置すると共に、シートの位置を検出し、当該シートの乗員拘束装置に対する相対位置に基づいて乗員拘束装置の作動を制御するコントロール信号を発するポジションセンサーを備える自動車用スライドシートにおいて、
磁場を発する磁石片と、磁場反応乃至は不反応によるコントロール信号を発する磁気検出センサーとをポジションセンサーとして備え、磁気検出センサーをアッパーレール，ロアレールのいずれか一方の長手方向における所定位置の内部に取り付け、磁石片をアッパーレール，ロアレールのいずれか他方の所定位置より長手方向に亘る前側領域または後側領域の内部に取り付け、ポジションセンサーをアッパーレールとロアレールとで囲まれるスライドレールの内部空間に備え付けたことを特徴とするポジションセンサー付き自動車用スライドシート。
【請求項２】
磁気検出センサーをアッパーレールの天部内面に取り付け、磁石片をロアレールの底部内面に取り付けたことを特徴とする請求項１に記載のポジションセンサー付き自動車用スライドシート。
【発明の詳細な説明】
【０００１】
【発明の属する技術分野】
本発明は、車内の前後方向にスライドレールで位置移動可能に設置する自動車用シートに係り、シートの乗員拘束装置に対する相対位置に基づいて乗員拘束装置の作動を制御するコントロール信号を発するポジションセンサーを備える自動車用スライドシートに関するものである。
【０００２】
【従来の技術】
例えば、エアバッグモジュールを乗員拘束装置としてステアリングホイールに装備する自動車においては、図３で示すようにスライドシートＳの位置がステアリングホイールＨに対して前方にあるときはエアバッグＥの展開開始時期を早くし、一方、後方にあるときはエアバッグＥの展開開始時期を遅らせる如くエアバッグモジュールの作動をコントロールすることが図られている。
【０００３】
従来、そのエアバッグモジュールをコントロールする必要から、エアバッグモジュールに対するスライドシートＳの相対位置を検出するポジションセンサーＰをスライドレールＲに装備することが提案されている。
【０００４】
そのポジションセンサーＰとしては、図４並びに図５で示すように磁場を発する磁石片や電磁石等の磁気アクチュエータ１０ａと、磁場と反応するリミットスイッチやホール素子等の磁気検出センサー１０ｂを相対離間させてホルダーケース１０ｃの内部に組み付けたセンサーユニット１０と、磁気アクチュエータ１０ｂから発する磁場が磁気検出センサー１０ｂに作用するのを遮る磁気遮断板１１とからなるものが挙げられている。
【０００５】
そのセンサーユニット１０は、ロアレール１２の長手方向における所定位置の側部に突出するブラケットプレート１３で取り付けられている。一方、磁気遮断板１１はアッパーレール１４の所定位置より長手方向に亘る前側領域の側部に張り出させて取り付けられている（参考文献１）。
【０００６】
それとは逆に、磁気センサーをアッパーレールの側部に突出させて取り付け、磁気遮断板をロアレールの長手方向に亘る所定領域の側部に張り出させて取り付けるものもある（特許文献２）。
【０００７】
そのポジションセンサーは、シートの位置移動に伴って、磁気遮断板１１が磁気アクチュエータ１０ａと磁気検出センサー１０ｂとの相対間隔に位置するか否かにより、磁気検出センサー１０ｂがエアバッグモジュールに対するスライドシートＳの相対位置を検出すると共に、エアバッグモジュールの作動を制御するコントロール信号を発するよう回路設計されている。
【０００８】
【特許文献１】
米国特許第６，０５３，５２９号明細書
【特許文献２】
米国特許第５，９６７，５４９号明細書
【０００９】
そのポジションセンサーは、いずれも、スライドレールの側部で外側に取り付けられている。このため、金属製品等の物品がシートクッションと車体フロアーとの間に入れ込まれると、誤作動を生ずる可能性がある。また、傘や長尺ものの入れ込みによる変形や損傷等の不具合を生ずる虞れもある。
【００１０】
その不具合を解消するため、ポジションセンサーをガードするカバーやワイヤ枠等をスライドレールの側部に取り付ければよい。然し、これでは部品点数が多くなり、また、スライドレールの周辺空間を制約することにもなるから好ましくない。
【００１１】
【発明が解決しようとする課題】
本発明は、部品点数を削減しながらも、外的要因によるセンサー性能の低下や不具合の発生を解消し、位置精度の向上やクリアランスの減少からセンサー性能を向上ししかも小型化，軽量化を図れるポジションセンサー付き自動車用スライドシートを提供することを目的とする。
【００１２】
【課題を解決するための手段】
本発明の請求項１に係るポジションセンサー付き自動車用スライドシートにおいては、シートクッションの下部側に取り付けられるアッパーレールと、車体のフロアー側に取り付けられるロアレールとをスライドレールとして備え、シートを車内の前後方向にスライドレールで位置移動可能に設置すると共に、シートの位置を検出し、当該シートの乗員拘束装置に対する相対位置に基づいて乗員拘束装置の作動を制御するコントロール信号を発するポジションセンサーを備えるもので、
磁場を発する磁石片と、磁場反応乃至は不反応によるコントロール信号を発する磁気検出センサーとをポジションセンサーとして備え、磁気検出センサーをアッパーレール，ロアレールのいずれか一方の長手方向における所定位置の内部に取り付け、磁石片をアッパーレール，ロアレールのいずれか他方の所定位置より長手方向に亘る前側領域または後側領域の内部に取り付け、ポジションセンサーをアッパーレールとロアレールとで囲まれるスライドレールの内部空間に備え付けることにより構成されている。
【００１３】
本発明の請求項２に係るポジションセンサー付き自動車用スライドシートにおいては、磁気検出センサーをアッパーレールの天部内面に取り付け、磁石片をロアレールの底部内面に取り付け備え付けることにより構成されている。
【００１４】
【発明の実施の形態】
以下、図１並びに図２を参照して説明すると、図示実施の形態は、シートを車内の前後方向にスライドレール１で位置移動可能に設置されるスライドシートでなり、そのスライドシートの位置を検出し、当該シートの乗員拘束装置に対する相対位置に基づいて乗員拘束装置の作動を制御するコントロール信号を発するポジションセンサー２をスライドレール１の内部に備えて構成されている。
【００１５】
スライドレール１は、シートクッションの下部側に取り付けられるアッパーレール１ａと、車体のフロアー側に取り付けられるロアレール１ｂとから組み立てられている。このいずれも、車内の前後方向に亘るよう取り付けられる。アッパーレール１ａは、ローラ（図示せず）を長手方向前後の下部側に備えてロアレール１ｂで前後方向に移動可能に支持されている。
【００１６】
アッパーレール１ａは、天部面１００と両側面１０１，１０２とから断面略下向きコの字状を呈し、両側面１０１，１０２の下端側からＬ字状に立ち上がる外曲げフランジ１０３，１０４を備えて折曲げ形成されている。このアッパーレール１ａには、後述する磁気検出センサーを取り付けるための位置決め用の受け穴１０５並びに締付けボルトの差込み穴１０６，１０７が天部面１００に設けられている。
【００１７】
ロアレール１ｂは、底部面１１０と両側面１１１，１１２とからアッパーレール１ａよりも相対的に大きい断面略上向きコの字状を呈し、アッパーレール１ａの外曲げフランジ１０３，１０４を内側に受け入れる下向きＬ字状の内曲げフランジ１１３，１１４を両側面１１１，１１２の上端側から折り曲げて形成されている。このロアレール１ｂとアッパーレール１ａとを組み合わすことから、外部と区画されたスライドレール１の内部空間が保たれている。
【００１８】
ポジションセンサー２は、磁場と反応乃至は不反応をコントロール信号として発する磁気検出センサー２ａと、磁場を発する磁石片２ｂとを備えて構成されている。磁気検出センサー２ａとしては、磁界の強さをホール効果による電気信号で取り出すホール素子乃至はホールＩＣを備え付けるとよい。その磁気検出センサー２ａには、位置決め用の突起２０並びに締付けボルト用の止め穴２１，２２が天部面に設けられている。
【００１９】
図示実施の形態では、磁気検出センサー２ａがアッパーレール１ａの天部内面で長手方向における略中腹に位置させて取り付けられている。一方、磁石片２ｂはロアーレール１ｂの略中腹位置より長手方向に亘る後側領域で底部内面に取り付けられている。この磁石片２ｂとしては、帯板状のものをロアレール１ｂの底部内面に貼付け固定することにより備え付けられる。
【００２０】
磁気検出センサー２ａは、位置決め用の突起２０をアッパーレール１ａの受け穴１０５に嵌め合せて位置決めすると共に、差込み穴１０６，１０７から挿通する締付けボルト（図示せず）を止め穴２１，２２にねじ込むことから、アッパーレール１ａの内側から取り付けられている。この他、磁気検出センサー２ａの本体部分を嵌め合わすアッパーレール１ａの開口（図示せず）よりも外形形状の大きい張出し鍔を設けるものであれば、磁気検出センサーとしてアッパーレール１ａの外側から取り付けられる。
【００２１】
乗員拘束装置としては、ステアリングホイールの内部に装備されるエアバッグモジュールやインストルメントパネルの内部に装備されるエアバッグモジュールを挙げられる。その制御形態は、シートの位置が前方にあるときはエアバッグの展開開始時期を早くし、一方、後方にあるときはエアバッグの展開開始時期を遅らせる如くＣＰＵを備えて回路構成される。
【００２２】
このように構成するスライドシートでは、シート全体をスライドレール１でフロントモストとリアモストとに亘る領域を移動する間において、磁気検出センサー２ａが磁石片２ｂから発生する磁場に反応する領域と、磁石片２ｂが備えられていないところから、磁気検出センサー２ａが磁場と反応しない領域とに区分けられる。
【００２３】
その磁気検出センサー２ａの磁場と反応乃至は不反応いずれかをコントロール信号としてＣＰＵに送信することから、反応領域ではシートの位置が前方にあるとしてエアバッグの展開開始時期を早くし、一方、不反応領域ではシートが後方にあるとしてエアバッグの展開開始時期を遅らせる如くエアバッグモジュールのエアバッグを作動制御できる。
【００２４】
そのポジションセンサー２では、磁気検出センサー２ａがアッパーレール１ａの内部に、磁石片２ｂがロアレール１ｂの内部に各々取り付けられてスライドレール１の囲まれた内部空間に配設されているため、位置精度を高められ、また、クリアランスを小さく保ててセンサー性能を向上できる。特に、磁気検出センサー２ａがアッパーレール１ａの内部で下向きに取り付けられているから、塵埃等が付着することによるセンサー性能の低下も防げる。
【００２５】
それに加えて、金属製品等の物品がシートクッションと車体フロアーとの間に入れ込まれる等の外的要因による影響を受けることなく、或いは、傘や長尺ものの入れ込みによる変形や損傷等の不具合を生ずるのも防げて正常な作動状態を維持できる。また、センサー取付け用のブラケットやポジションセンサーのガードカバーやワイヤ枠等が不要となるため、部品点数を削減できて小型化並びに軽量化を図れる。
【００２６】
上述した実施の形態では、乗員拘束装置としてステアリングホイールの内部に装備されるエアバッグモジュールやインストルメントパネルの内部に装備されるエアバッグモジュールを挙げたが、ドアやサイドボディパネルの内部に装備されるエアバッグモジュールとシートとの位置関係を決定するような場合にも適用できる。
【００２７】
乗員拘束装置の制御形態としては、フロントモスト側を磁場不反応領域に、リアモスト側を磁場反応領域に設定したが、これを逆に設定するようにできる。その乗員拘束装置の制御形態も、作動タイミングを制御するに代えて、作動乃至は不作動のＯＮ，ＯＦＦ形態を採用するようにできる。
【００２８】
【発明の効果】
以上の如く、本発明の請求項１に係るポジションセンサー付き自動車用スライドシートに依れば、ポジションセンサーをアッパーレールとロアレールとで囲まれるスライドレールの内部空間に備え付けることにより、金属製品等の物品がシートクッションと車体フロアーとの間に入れ込まれる等の外的要因による影響を受けず、傘や長尺ものの入れ込みによる変形や損傷等の不具合を生ずるのも防げて正常な作動状態を維持できる。また、センサー取付け用のブラケットやポジションセンサーのガードカバーやワイヤ枠等が不要となるため、部品点数を削減できて小型化並びに軽量化を図れる。
【００２９】
それに加えて、磁場を発する磁石片と、磁場反応乃至は不反応をコントロール信号として発する磁気検出センサーとをポジションセンサーとして備え、磁気検出センサーをアッパーレール，ロアレールのいずれか一方の長手方向における所定位置の内部に取り付け、磁石片をアッパーレール，ロアレールのいずれか他方の所定位置より長手方向に亘る前側領域または後側領域の内部に取り付けることにより、互いの位置精度を高められると共に、クリアランスを小さく保てることからセンサー性能を向上できる。
【００３０】
本発明の請求項２に係るポジションセンサー付き自動車用スライドシートに依れば、磁気検出センサーをアッパーレールの天部内面に取り付け、磁石片をロアレールの底部内面に取り付け備え付けることにより、塵埃等が磁気検出センサーに付着することによるセンサー性能の低下も防げる。
【図面の簡単な説明】
【図１】本発明に係る自動車用スライドシートのスライドレール並びにポジションセンサーを主に示す説明図である。
【図２】図１のポジションセンサーを備えるスライドレールを示す断面図である。
【図３】一般例に係るポジションセンサー付き自動車用スライドシートを示す説明図である。
【図４】従来例に係る自動車用スライドシートのスライドレール並びにポジションセンサーを主に示す説明図である。
【図５】図４のスライドレール並びにポジションセンサーを示す断面図である。
【符号の説明】
１                    スライドレール
１ａ                  アッパーレール
１ｂ                  ロアレール
２                    ポジションセンサー
２ａ                  磁気検出センサー
２ｂ                  磁石片
【図１】
2004189165.tif 000003
【図２】
2004189165.tif 000004
【図３】
2004189165.tif 000005
【図４】
2004189165.tif 000006
【図５】
2004189165.tif 000007